(57)【要約】      （修正有）【課題】レンズ交換式カメラにおいて、レンズユニット装着用凹部を有効に利用し、カメラの小型化を図る。【解決手段】カメラ本体１０を２つ折りの折り畳み形式とし、左右の部分１１、１２を開いたとき、折り畳みヒンジの内側に設けたレンズ装着用凹部１３が露出しこの凹部１３にレンズユニット２０の連結部２２を挿入する。。また、カメラ本体のファインダ、せん光装置、ＬＣＤ等をそれぞれ突出可能に形成し、これらの突出によって生ずる空所をレンズユニットの装着用凹部１３としてもよい。【選択図】図１（ａ）
2005275217.tif 000002
【特許請求の範囲】
【請求項１】
カメラ本体を２つ折りの折り畳み形式とし、折り畳みヒンジの内側にレンズユニット装着用凹部を設けたことを特徴とするレンズ交換式カメラ。
【請求項２】
中間部に空所を設けてカメラ本体を横方向又は縦方向に伸縮自在とし、伸張により生じた空所をレンズユニット装着用凹部としたことを特徴とするレンズ交換式カメラ。
【請求項３】
カメラ本体のファインダをカメラ本体から回動して突出する形式とし、ファインダがカメラ本体から突出して生じた空所をレンズユニット装着用凹部としたことを特徴とするレンズ交換式カメラ。
【請求項４】
カメラ本体のファインダをスライドしてカメラ本体から突出する形式とし、ファインダがカメラ本体から突出して生じた空所をレンズユニット装着用凹部とし、かつ、レンズの種別に対応してファインダ蹴られを回避する機構を設けたことを特徴とするレンズ交換式カメラ。
【請求項５】
装着するレンズの種別に応じて、ファインダ蹴られを回避するようにファインダの突出量を可変としたことを特徴とする請求項４記載のレンズ交換式カメラ。
【請求項６】
カメラ本体のせん光装置をスライドしてカメラ本体から突出する形式とし、せん光装置が突出して生じた空所をレンズユニット装着用凹部としてレンズ蹴られを回避すると共に、装着するレンズの種別に対応してせん光装置蹴られを回避するように、せん光装置のスライド量を可変としたことを特徴とするレンズ交換式カメラ。
【請求項７】
カメラ本体のＬＣＤをスライドしてカメラ本体から後方に突出する形式とし、ＬＣＤが突出して生じた空所をレンズユニットの装着用凹部としたことを特徴とするレンズ交換式カメラ。
【請求項８】
レンズユニットの挿脱に伴って接点部の酸化皮膜を擦り取る接点形状としたことを特徴とする請求項１〜７の何れかに記載のレンズ交換式カメラ。
【請求項９】
カメラ本体から突出する部材に収納方向へ付勢する付勢手段を付与したことを特徴とする請求項２〜８の何れかに記載のレンズ交換式カメラ。
【請求項１０】
カメラ本体内に収納される部材に突出方向へ付勢する付勢手段を備えると共に、レンズユニット非装着時に前記収納され部材が突出方向へ移動することを妨げるロック機構を備えたことを特徴とする請求項２〜９の何れかに記載のレンズ交換式カメラ。
【発明の詳細な説明】
【技術分野】
【０００１】
本発明は、レンズ交換式カメラに関する。さらに詳しくは、交換レンズユニットの装着部がレンズユニット非装着のときに他の部材の収納部などに利用されており、接点が隠されているカメラに係る。
【背景技術】
【０００２】
レンズ交換式カメラにおいて、カメラ本体の前面にレンズユニット挿入用の開口部が形成され、その開口部にレンズユニットが挿入される構成で、本体側およびレンズ側のコネクタを保護する部材が付いている技術がある（例えば、特許文献１参照。）。
【０００３】
また、レンズ交換式カメラにおいて、カメラ前面のレンズ装着開口部にカバーが設けられている技術がある（例えば、特許文献２参照。）。
【０００４】
以上の従来技術はいずれもレンズ交換式の構成で、本体側にレンズユニット装着用の開口が設けられているが、レンズユニット非装着の状態では、レンズユニットを装着するための空間が無駄になっている。
【特許文献１】特開２０００−１８４２５４号公報（第２−６頁、図１）
【特許文献２】特願２００３−０９９５２号出願
【発明の開示】
【発明が解決しようとする課題】
【０００５】
レンズ交換式カメラはレンズユニット非装着の状態では、レンズユニット挿入用の開口部のスペースが有効活用されていない。そのため、携帯時のカメラ本体の小型化に関しては、レンズユニット挿入用のスペースを有効に活用することが課題となる。
【０００６】
本発明は上記実情に鑑み、レンズユニット非装着の状態でカメラ側のレンズユニット装着部を有効に利用し、カメラの小型化に寄与する技術を提供することを目的とする。
【課題を解決するための手段】
【０００７】
本発明は、上記問題点を解決するためになされたもので、次の技術手段を講じたことを特徴とするレンズ交換式カメラである。すなわち、本発明の第１の発明は、カメラ本体を２つ折りの折り畳み形式とし、折り畳みヒンジの内側にレンズユニット装着用凹部を設けたことを特徴とするレンズ交換式カメラである。カメラ本体を折り畳み可能として小型化すると共に、折り畳みヒンジ部の回動によって生ずる内側の部分にレンズユニット装着部を設け、合理的な構成とした。
【０００８】
本発明の第２の発明は、中間部に空所を設けてカメラ本体を横方向又は縦方向に伸縮自在とし、伸張により生じた空所をレンズユニット装着用凹部としたことを特徴とするレンズ交換式カメラである。この技術はカメラ本体を横方向（又は縦方向）に伸縮可能に形成し、伸張したとき生ずる中央部の空所をレンズ装着部とした。従って、レンズを非装着のときはカメラ本体の横寸法が縮小し、カメラ本体が小型化し携帯に便利である。またこのとき空所が縮小してその中にレンズユニットと本体との電気的な接続部が隠れるので、接続端子等を効果的に保護することができる。
【０００９】
本発明の第３の発明は、カメラ本体のファインダをカメラ本体から回動して突出する形式とし、ファインダがカメラ本体から突出して生じた空所をレンズユニット装着用凹部としたことを特徴とするレンズ交換式カメラである。この発明はレンズユニットを非装着のとき、レンズユニット装着用の開口部にファインダが回動して収納され、空間を有効に利用すると共に、電気接続端子が隠され、好適に保護される。
【００１０】
本発明の第４の発明は、カメラ本体のファインダをスライドしてカメラ本体から突出する形式とし、ファインダがカメラ本体から突出して生じた空所をレンズユニット装着用凹部とし、かつ、レンズの種別に対応してファインダ蹴られを回避する機構を設けたことを特徴とするレンズ交換式カメラである。この技術ではレンズ装着用の開口部にファインダがスライドして収納される。この場合、空間の有効利用、接続端子の保護等は上記の発明と同様であるが、レンズの種別に応じて、ファインダ蹴られを回避する機構を設けることが必要となる。
【００１１】
ファインダ蹴られとはファインダの視野がレンズユニット等によって部分的に妨げられる現象をいう。これを回避する機構としてはファインダの視野を変更するようにファインダレンズの角度を変更する手段を用いるとよい。また、装着するレンズの種別に応じてファインダのスライドして突出する突出量を変更可能とし、ファインダ蹴られを回避するようにすると好適である。
【００１２】
本発明の第５の発明は、カメラ本体のせん光装置をスライドしてカメラ本体から突出する形式とし、せん光装置が突出して生じた空所をレンズユニット装着用凹部としてレンズけられを回避すると共に、装着するレンズの種別に対応してせん光装置蹴られを回避するようにせん光装置のスライド量を可変としたことを特徴とするレンズ交換式カメラである。この発明ではレンズ挿入用のスペースにせん光装置がスライドして収納される。
【００１３】
本発明の第６の発明は、カメラ本体のＬＣＤをスライドしてカメラ本体から後方に突出する形式とし、ＬＣＤが突出して生じた空所をレンズユニットの装着用凹部としたことを特徴とするレンズ交換式カメラである。ＬＣＤをカメラ本体から背面側に突出するようにし、生じた空所にレンズユニットの尾端側を収納する。レンズユニットをカメラ本体に挿入するとき、レンズユニットがＬＣＤを後方に押し出すようにすればよい。
【００１４】
以上の各発明において、レンズユニットを装着する空所に出入する部材に接続端子の接点部をこすり、接点部の酸化皮膜を擦り取るようにした接点形状を形成しておくと、接続端子の接点を清浄に保つことができ、ワイピングによって接点の信頼性を向上することができ、好ましい。
【００１５】
また上記各発明において、カメラ本体から突出する部材に収納方向へ付勢する付勢手段を付与すると、収納する時の操作性が向上するという効果がある。
【００１６】
また、上記各発明において、カメラ本体内に収納される部材に突出方向へ付勢する付勢手段を備えると共に、レンズユニット非装着時に、前記収納される部材が突出方向へ移動するのを妨げるロック機構を備えると、ワンタッチで携帯時の状態から使用時の状態に変化させることができ、好ましく、また携帯時に不用意に形状変化しないので、不測のトラブル等を回避することができる。
【発明の効果】
【００１７】
本発明によれば、カメラを小型化し携帯性を向上させることができる。また、ファインダ蹴られ、せん光装置蹴られ、又はレンズ蹴られ等を防止することができる。さらにカメラの薄型化、信頼性向上、操作性向上等を図ることができるという優れた効果を奏する。
【発明を実施するための最良の形態】
【００１８】
以下図面を参照して本発明の実施の形態を説明する。
【００１９】
図１（ａ）〜図１（ｃ）は本発明の実施例のレンズ交換式カメラを示す図である。
【００２０】
図１（ａ）は、カメラ本体１０の斜視図であって、この例は２つ折りの折り畳み形式のカメラ本体１０を示している。カメラ本体１０は左右の部分１１，１２から成り、２つ折りの軸１４を中心に矢印１５で示すように回動する。なお、レリーズボタン１６，ファインダ１７等を備えている。
【００２１】
図１（ａ）は２つ折りを解放した状態を示すもので、軸１４を中心として矢印１５で示すように回動する折り畳みヒンジの内側にレンズユニット２０装着用凹部１３を設けている。レンズユニット２０は図１（ｂ）に示すように、カメラ本体１０と結合する結合部２２を備えている。レンズユニット非装着のときは、カメラ本体１０は図１（ｃ）に示すように折り畳まれ、携帯性が向上する。またカメラ本体１０の折り畳み時には接続端子の接点が折り畳みの内側になるようにしておけば、接点が保護されるので好ましい。なお、図１（ｂ）において１８は液晶表示部である。
【００２２】
図２（ａ）〜図２（ｃ）は、別の実施例を示すもので、カメラ本体１０が横方向に２つの部分３１，３２に分割されており、この２つの部分３１，３２が伸縮自在に連結されており、その中間部の空所をレンズユニット２０装着用凹部３３としたものである。レンズユニット非装着時はカメラ本体１０が図２（ａ）に示すように小型化された形態となっている。図２（ｃ）に示すように、レンズユニット２０を装着する際には、カメラ本体１０の二つの部分３１，３２を伸ばし、レンズユニット２０装着用凹部を形成する。また、レンズユニットとの接続端子の接点３４は携帯状態では２つの部分３１，３２の陰に隠れて保護される。レンズの装着を図２に示すのとは逆向きにカメラ本体１０の背面側から行うようにし、接続端子の配列を工夫すると、自分撮りカメラとすることもできる。
【００２３】
図３（ａ）〜図３（ｄ）はカメラ本体１０のファインダ３５を矢印３６で示すように回動してカメラ本体１０から突出する形式とし、生じた空所３７をレンズユニット２０の装着用凹部とした例を示している。
【００２４】
カメラ本体１０の携帯時はファインダ３５がカメラ本体１０のレンズユニット装着用凹部３７内に収納される。カメラ使用時はファインダ３５を回動させて図３（ｂ）に示すようにカメラ本体１０から突出した位置に移動する。カメラ本体１０側にはレンズユニット２０装着用凹部３７と、接続端子の接点３８が露出する。ファインダ３５はカメラ本体１０から突出するので、図３（ｄ）に示すようにファインダ３５の蹴られを回避することができる。
【００２５】
図４（ａ）〜図４（ｅ）はカメラ本体１０のファインダ４１をスライドしてカメラ躯体３４から突出する形式とし、突出によって生じた空所４２をレンズユニット２０装着用凹部としたものである。
【００２６】
カメラ本体１０の携帯時はファインダ４１がカメラ本体１０のレンズユニット装着用凹部４２に収納される。使用時はファインダ４１がスライドしカメラ躯体３４から突出した位置に移動する。カメラ本体１０側にはレンズユニット２０装着用凹部４２と接点４３が露出する。装着するレンズユニット２０によってファインダ４１のスライド量を自在に調節することが可能である。従って、図４（ｄ），図４（ｅ）に示すように、小型レンズユニット２０を装着する場合は蹴られも少ないためスライド量を少なくし、視野４４のパララックスも少なくてすむ。図４（ｅ）に示すように、大型のレンズユニット２０ａを装着する場合は蹴られが大きくなるためスライド量を大きくし、視野４４がレンズユニット２０ａによって妨げられないようにする。
【００２７】
図５（ａ）〜図５（ｆ）は、カメラ本体１０の躯体３４からせん光装置５１が矢印５２で示すようにスライドして突出するようにし、せん光装置５１が突出して生じた空所５３をレンズユニット２０装着用凹部として用いるようにしたものである。
【００２８】
図５（ｄ）はせん光装置５１が、矢印５２で示すように、昇降するためのラック５４、ピニオン５５、伝導装置５６を示したものである。
【００２９】
カメラ携帯時はせん光装置装置５１がカメラ本体１０のレンズユニット２０の装着用凹部内に収納される。カメラ使用時はせん光装置５１がスライドしてカメラ本体１０の躯体３４から突出した位置に移動する。カメラ本体１０側にはレンズユニット装着用凹部と、接続端子の接点が露出する。
【００３０】
装着するレンズユニット２０の種類によってせん光装置５１の蹴られ量が異なるため、せん光装置５１のスライド量も自在に調節可能にしておく。せん光装置５１の光軸か大きくズレてしまう場合には、スライド機構内に配設されたラック及びピニオン等の機構によりせん光装置５１の配光（にらみ角）が最適となるように回動調整する。
【００３１】
図５（ｅ）は、せん光装置５１の配光５７が適切範囲を照明するような小型のレンズユニット２０を示しており、図５（ｆ）はレンズユニット２０が大きく、せん光装置５１の配光５７が適切な範囲を外れるような場合に、配光５７が適正になるように角度を変更する場合を示している。これらはラック５４，ピニオン５５，伝導装置６０を適切に設計することによって実現することができる。
【００３２】
図６（ａ），図６（ｂ）は、カメラ本体１０のＬＣＤ６１を躯体３４からスライドして突出自在に形成し、カメラユニット２０を装着するとき、カメラユニット２０がＬＣＤ６１を押し出し、この押し出しによって形成された空所をレンズユニット２０の装着用凹部として利用するものである。
【００３３】
カメラ携帯時はＬＣＤ６１がカメラ本体１０のレンズユニット装着用凹部内に収納され、カメラの薄型化を図ることができる。カメラ使用時はＬＣＤ６１がレンズユニット装着方向に後退してカメラ本体１０の躯体３４から突出する。レンズユニット２０はＬＣＤ６１を押し込みスライドさせながらカメラ本体１０に挿入・装着される。
【００３４】
図７はレンズユニット装着用凹部７３内に収納される部材７１、例えば、せん光装置、ファインダ、ＬＣＤ等がレンズユニット装着の前後で、矢印７２で示すように移動する際に、カメラ本体側の接続端子７４の接点と摺動することによって接点のワイピングを行うように接点及び部材７１を形成した例を示したものである。図７では接続端子７４に湾曲部を設け、この湾曲部が部材７１に強く接触するようになっている。
【００３５】
図８は本発明のカメラ本体１０の躯体３４から部材８１が矢印８２で示されるように、突出又は収納方向に付勢されている例を示すものである。図８（ａ）は突出する方向に、図８（ｂ）は収納する方向に付勢されている。図８（ａ），（ｂ）では、回動方向への付勢であるから、つるまきばね８３を用いた例を示している。
【００３６】
図９（ａ），（ｂ）は図８における付勢力を拘束しておくストッパ８５を付加したものを示している。ストッパ８５は部材８１を係止する係止部８７を備え、矢印８６で示すように係止を解除すると付勢力が作動する。
【００３７】
カメラ携帯時にはストッパ８５によるロックがかかっているため不用意に可動部が変化することがない。また、可動部には弾性部材によって開方向に付勢力が働いているため、ユーザはロックを解除するだけで使用状態にすることができる。
【００３８】
図１０（ａ），（ｂ）は躯体３４内に収納されている部材９１が図１０（ｂ）に示すようにカメラ本体１０の躯体３４から突出して空所９３を生ずるようにコイルばね９２によって付勢されている例を示している。
【００３９】
また、図１１（ａ），（ｂ）は、カメラ本体１０内に装着されたレンズユニット２０が付勢部材９５によって排出方向に付勢されている例を示している。
【００４０】
図１２は、カメラ本体１０の躯体３４からスライドして突出する部材９６の周縁に弾性材９７を設けた例を示したものである。
【図面の簡単な説明】
【００４１】
【図１（ａ）】本発明の実施例の斜視図である。
【図１（ｂ）】本発明の実施例の斜視図である。
【図１（ｃ）】本発明の実施例の斜視図である。
【図２（ａ）】本発明の別の実施例の斜視図である。
【図２（ｂ）】本発明の別の実施例の斜視図である。
【図２（ｃ）】本発明の別の実施例の斜視図である。
【図３（ａ）】本発明の別の実施例の斜視図である。
【図３（ｂ）】本発明の別の実施例の斜視図である。
【図３（ｃ）】本発明の別の実施例の斜視図である。
【図３（ｄ）】本発明の別の実施例の側面図である。
【図４（ａ）】本発明の別の実施例の斜視図である。
【図４（ｂ）】本発明の別の実施例の斜視図である。
【図４（ｃ）】本発明の別の実施例の斜視図である。
【図４（ｄ）】本発明の別の実施例の平面図である。
【図４（ｅ）】本発明の別の実施例の平面図である。
【図５（ａ）】本発明の別の実施例の斜視図である。
【図５（ｂ）】本発明の別の実施例の斜視図である。
【図５（ｃ）】本発明の別の実施例の斜視図である。
【図５（ｄ）】本発明の別の実施例の説明図である。
【図５（ｅ）】本発明の別の実施例の説明図である。
【図５（ｆ）】本発明の別の実施例の説明図である。
【図６（ａ）】本発明の別の実施例の断面図である。
【図６（ｂ）】本発明の別の実施例の断面図である。
【図７】本発明の別の実施例の模式的斜視図である。
【図８（ａ）】本発明の別の実施例の側面図である。
【図８（ｂ）】本発明の別の実施例の側面図である。
【図９（ａ）】本発明の別の実施例の側面図である。
【図９（ｂ）】本発明の別の実施例の側面図である。
【図１０（ａ）】本発明の別の実施例の模式的説明図である。
【図１０（ｂ）】本発明の別の実施例の模式的説明図である。
【図１１（ａ）】本発明の別の実施例の模式的説明図である。
【図１１（ｂ）】本発明の別の実施例の模式的説明図である。
【図１２（ａ）】本発明の別の実施例の断面図である。
【図１２（ｂ）】本発明の別の実施例の断面図である。
【符号の説明】
【００４２】
１０    カメラ本体
１１，１２    カメラ本体の左右部分
１３，３３，３７，４２，７３    レンズユニット装着用凹部
１４    軸
１５，３６，５２，７２，８２，８６    矢印
１６    レリーズボタン
１７，３５，４１    ファインダ
１８    液晶部
２０    レンズユニット
３１，３２    カメラ本体部分
３４    カメラ躯体
５３，９３    空所
３８，４３    接点
４４    視野
５１    せん光装置
５４    ラック
５５    ピニオン
５６，６０    伝導装置
５７    配光
６１    ＬＣＤ
７１，８１，９１，９６    部材
７４    接続端子
８３    つるまきばね
８５    ストッパ
８７    係止部
９５    付勢部材
９７    弾性材
【図１（ａ）】
2005275217.tif 000003
【図１（ｂ）】
2005275217.tif 000004
【図１（ｃ）】
2005275217.tif 000005
【図２（ａ）】
2005275217.tif 000006
【図２（ｂ）】
2005275217.tif 000007
【図２（ｃ）】
2005275217.tif 000008
【図３（ａ）】
2005275217.tif 000009
【図３（ｂ）】
2005275217.tif 000010
【図３（ｃ）】
2005275217.tif 000011
【図３（ｄ）】
2005275217.tif 000012
【図４（ａ）】
2005275217.tif 000013
【図４（ｂ）】
2005275217.tif 000014
【図４（ｃ）】
2005275217.tif 000015
【図４（ｄ）】
2005275217.tif 000016
【図４（ｅ）】
2005275217.tif 000017
【図５（ａ）】
2005275217.tif 000018
【図５（ｂ）】
2005275217.tif 000019
【図５（ｃ）】
2005275217.tif 000020
【図５（ｄ）】
2005275217.tif 000021
【図５（ｅ）】
2005275217.tif 000022
【図５（ｆ）】
2005275217.tif 000023
【図６（ａ）】
2005275217.tif 000024
【図６（ｂ）】
2005275217.tif 000025
【図７】
2005275217.tif 000026
【図８（ａ）】
2005275217.tif 000027
【図８（ｂ）】
2005275217.tif 000028
【図９（ａ）】
2005275217.tif 000029
【図９（ｂ）】
2005275217.tif 000030
【図１０（ａ）】
2005275217.tif 000031
【図１０（ｂ）】
2005275217.tif 000032
【図１１（ａ）】
2005275217.tif 000033
【図１１（ｂ）】
2005275217.tif 000034
【図１２（ａ）】
2005275217.tif 000035
【図１２（ｂ）】
2005275217.tif 000036